(57)【特許請求の範囲】
【請求項１】
地面に左右対称になるように設置された信号灯を含み、前記信号灯にはそれぞれボタンが設置され、前記信号灯の底側には作業空間が設置され、前記作業空間の頂壁には保護板溝が左右対称になるように形成され、前記作業空間の底壁には移動スライド溝が左右対称になるように形成され、各前記保護板溝の片側には横移動親ねじが設置され、前記横移動親ねじ、前記作業空間及び前記保護板溝の間には車両を通行させられる通行装置が設置され、前記通行装置は前記保護板溝の中に左右対称になるように且つスライド可能に装着された保護板を含み、各前記保護板の底面にはそれぞれ前記移動スライド溝とスライド可能に連結された支持棒が固定的に設置され、各前記横移動親ねじの片側面にはスタンドロッドが上下対称になるように且つ固定的に設置され、前記スタンドロッドの片側にはめねじプーリが設置され、前記めねじプーリには前記スタンドロッドとスライド可能に連結された第一環状溝が形成され、前記めねじプーリと前記横移動親ねじとがねじ山により連結され、前記横移動親ねじの底壁にはそれぞれベルト空間が設置され、前記ベルト空間の底壁には駆動空間が設置され、前記駆動空間の上壁には連動棒が設置され、前記連動棒の左右壁には貫通空間が設置され、前記貫通空間の間には伝動空間が設置され、前記伝動空間と前記連動棒の間には動力装置が設置され、前記駆動空間と前記ベルト空間との間には前記保護板を駆動して左右に移動させられる駆動装置が設置され、前記動力装置は前記駆動装置の作動を制御でき、前記伝動空間の左右壁には横移動空間が対称になるように設置され、前記横移動空間の片壁にはオイルタンクが設置され、前記オイルタンクの片壁には油圧管が設置され、前記油圧管の頂壁には昇降スライド溝が形成され、前記昇降スライド溝、前記油圧管、前記オイルタンク、前記伝動空間及び前記作業空間の間には障害者の道を渡ることを補助できる補助装置が設置されていることを特徴とする障害者向けの自動的に道を渡る設備。
【請求項２】
前記動力装置は前記連動棒の頂壁に固定的に装着された動力モータを含み、前記動力モータの中にはモータ軸が伝動可能に連結され、前記モータ軸には長スライドキーが上下対称になるように且つ固定的に設置され、前記長スライドキーと前記モータ軸には軸スリーブが上下対称になるように且つスライド可能に設置され、前記軸スリーブの片側面には第一傘歯車が対称になるように且つ固定的に設置され、前記貫通空間の頂壁には油圧プレスが固定的に設置され、前記軸スリーブの中には第二環状溝が形成され、前記第二環状溝の中には移動スライドロッドがスライド可能に連結され、前記第二環状溝と前記油圧プレスとは推動ブロックによって連結されていることを特徴とする請求項１に記載の障害者向けの自動的に道を渡る設備。
【請求項３】
前記駆動装置は前記駆動空間の左右壁に回転可能に装着された横軸を含み、前記横軸の左右側には連結プーリが対称になるように且つ固定的に設置され、前記連結プーリと前記めねじプーリとは連結ベルトにより連結され、前記横軸には前記第一傘歯車と噛み合うことができる第二傘歯車が固定的に設置されていることを特徴とする請求項２に記載の障害者向けの自動的に道を渡る設備。
【請求項４】
前記補助装置は前記作業空間の底壁にスライド可能に装着されたエレベータースタンドを含み、前記エレベータースタンドの上側には上方に開口する開口空間が設置され、前記開口空間の前後壁には八つの回転軸が回転可能に連結され、前記回転軸には固定輪が固定的に設置され、前記固定輪同士は搬送ベルトにより連結され、左側にある前記回転軸の後側には前記開口空間の後壁と固定的に連結された固定モータが伝動可能に連結され、前記エレベータースタンドの底面には前記昇降スライド溝とスライド可能に連結された油圧昇降棒が左右対称になるように且つ固定的に設置され、前記オイルタンクの中に作動油があり、前記オイルタンクの中には油圧板が左右対称になるように且つスライド可能に連結され、前記油圧板の片側面には前記横移動空間とスライド可能に連結されたねじ山スリーブが固定的に設置され、前記ねじ山スリーブの中には親ねじがねじ山により連結され、前記親ねじの片側には前記第一傘歯車と噛み合うことができる第三傘歯車が固定的に設置されていることを特徴とする請求項２に記載の障害者向けの自動的に道を渡る設備。
【請求項５】
前記ボタンの中にチップが配置されるため、前記動力モータ、前記油圧プレス、前記固定モータの作動と復帰を順次に制御でき、また、前記ボタンが前記信号灯の赤信号と青信号の切り替えを制御できることを特徴とする請求項４に記載の障害者向けの自動的に道を渡る設備。
【発明の詳細な説明】
【技術分野】
【０００１】
本願発明は交通管理分野を取り上げて、具体的には障害者向けの自動的に道を渡る設備である。
【背景技術】
【０００２】
現代では、さまざまな理由で多くの人が身体障害者になっている。障害者は日常生活で様々な難題に直面しており、例えば、道路を渡る場合、手足の不自由な人であれば、青信号の時間中に道路を横切ることがなかなかできない。こうなると、交通に不便をもたらすだけでなく、障害者自身も危険にあう恐れがある。よって、障害者をサポートしよりスムーズに道路を渡らせる設備を設計する必要があり、従い、本願は障害者向けの自動的に道を渡る設備を提供した。
【先行技術文献】
【特許文献】
【０００３】
【特許文献１】中国特許出願公開第１０２４９６２９３号明細書
【発明の概要】
【発明が解決しようとする課題】
【０００４】
本願は障害者向けの自動的に道を渡る設備を提供し、従来技術における上記欠点を解消することを目的とする。
【課題を解決するための手段】
【０００５】
本願発明は以下の技術プランを通じて実現する。
【０００６】
本願発明の障害者向けの自動的に道を渡る設備は、地面に左右対称になるように設置された信号灯を含み、前記信号灯にはそれぞれボタンが設置され、前記信号灯の底側には作業空間が設置され、前記作業空間の頂壁には保護板溝が左右対称になるように形成され、前記作業空間の底壁には移動スライド溝が左右対称になるように形成され、各前記保護板溝の片側には横移動親ねじが設置され、前記横移動親ねじ、前記作業空間及び前記保護板溝の間には車両を通行させられる通行装置が設置され、前記通行装置は前記保護板溝の中に左右対称になるように且つスライド可能に装着された保護板を含み、各前記保護板の底面にはそれぞれ前記移動スライド溝とスライド可能に連結された支持棒が固定的に設置され、各前記横移動親ねじの片側面にはスタンドロッドが上下対称になるように且つ固定的に設置され、前記スタンドロッドの片側にはめねじプーリが設置され、前記めねじプーリには前記スタンドロッドとスライド可能に連結された第一環状溝が形成され、前記めねじプーリと前記横移動親ねじとがねじ山により連結され、前記横移動親ねじの底壁にはそれぞれベルト空間が設置され、前記ベルト空間の底壁には駆動空間が設置され、前記駆動空間の上壁には連動棒が設置され、前記連動棒の左右壁には貫通空間が設置され、前記貫通空間の間には伝動空間が設置され、前記伝動空間と前記連動棒の間には動力装置が設置され、前記駆動空間と前記ベルト空間との間には前記保護板を駆動して左右に移動させられる駆動装置が設置され、前記動力装置は前記駆動装置の作動を制御でき、前記伝動空間の左右壁には横移動空間が対称になるように設置され、前記横移動空間の片壁にはオイルタンクが設置され、前記オイルタンクの片壁には油圧管が設置され、前記油圧管の頂壁には昇降スライド溝が形成され、前記昇降スライド溝、前記油圧管、前記オイルタンク、前記伝動空間及び前記作業空間の間には障害者の道を渡ることを補助できる補助装置が設置されている。
【０００７】
好ましくは、前記動力装置は前記連動棒の頂壁に固定的に装着された動力モータを含み、前記動力モータの中にはモータ軸が伝動可能に連結され、前記モータ軸には長スライドキーが上下対称になるように且つ固定的に設置され、前記長スライドキーと前記モータ軸には軸スリーブが上下対称になるように且つスライド可能に設置され、前記軸スリーブの片側面には第一傘歯車が対称になるように且つ固定的に設置され、前記貫通空間の頂壁には油圧プレスが固定的に設置され、前記軸スリーブの中には第二環状溝が形成され、前記第二環状溝の中には移動スライドロッドがスライド可能に連結され、前記第二環状溝と前記油圧プレスとは推動ブロックによって連結されている。
【０００８】
好ましくは、前記駆動装置は前記駆動空間の左右壁に回転可能に装着された横軸を含み、前記横軸の左右側には連結プーリが対称になるように且つ固定的に設置され、前記連結プーリと前記めねじプーリとは連結ベルトにより連結され、前記横軸には前記第一傘歯車と噛み合うことができる第二傘歯車が固定的に設置されている。
【０００９】
好ましくは、前記補助装置は前記作業空間の底壁にスライド可能に装着されたエレベータースタンドを含み、前記エレベータースタンドの上側には上方に開口する開口空間が設置され、前記開口空間の前後壁には八つの回転軸が回転可能に連結され、前記回転軸には固定輪が固定的に設置され、前記固定輪同士は搬送ベルトにより連結され、左側にある前記回転軸の後側には前記開口空間の後壁と固定的に連結された固定モータが伝動可能に連結され、前記エレベータースタンドの底面には前記昇降スライド溝とスライド可能に連結された油圧昇降棒が左右対称になるように且つ固定的に設置され、前記オイルタンクの中に作動油があり、前記オイルタンクの中には油圧板が左右対称になるように且つスライド可能に連結され、前記油圧板の片側面には前記横移動空間とスライド可能に連結されたねじ山スリーブが固定的に設置され、前記ねじ山スリーブの中には親ねじがねじ山により連結され、前記親ねじの片側には前記第一傘歯車と噛み合うことができる第三傘歯車が固定的に設置されている。
【００１０】
好ましくは、前記ボタンの中にチップが配置されるため、前記動力モータ、前記油圧プレス、前記固定モータの作動と復帰を順次に制御でき、また、前記ボタンが前記信号灯の赤信号と青信号の切り替えを制御できる。
【発明の効果】
【００１１】
本願発明は固定輪により搬送ベルトを回転させることで、搬送ベルトに立っている障害者を道路の向こうに送り、障害者の道を渡る時間を短縮できるため、交通渋滞の発生を抑えられ、また、二つの左右移動可能な保護板により車両の正常通行を保証し、保護板の底面に設置された支持棒により、保護板が十分な強度で往来の車両をサポートできる。要するに、本願発明を利用すると、障害者は道を渡る時に通過時間を気にせずに道をスムーズに渡ることができる。
【図面の簡単な説明】
【００１２】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１３】
【図１】図１は本願発明の全体断面の正面構成模式図
【図２】図２は図１におけるＡの部分拡大図
【図３】図３は図１の上面図
【発明を実施するための形態】
【００１４】
図１〜３を参照し、本願発明の障害者向けの自動的に道を渡る設備は、地面に左右対称になるように設置された信号灯２１を含み、前記信号灯２１にはそれぞれボタン２２が設置され、前記信号灯２１の底側には作業空間２８が設置され、前記作業空間２８の頂壁には保護板溝２７が左右対称になるように形成され、前記作業空間２８の底壁には移動スライド溝２３が左右対称になるように形成され、各前記保護板溝２７の片側には横移動親ねじ３２が設置され、前記横移動親ねじ３２、前記作業空間２８及び前記保護板溝２７の間には車両を通行させられる通行装置１０１が設置され、前記通行装置１０１は前記保護板溝２７の中に左右対称になるように且つスライド可能に装着された保護板２６を含み、各前記保護板２６の底面にはそれぞれ前記移動スライド溝２３とスライド可能に連結された支持棒２４が固定的に設置され、各前記横移動親ねじ３２の片側面にはスタンドロッド３１が上下対称になるように且つ固定的に設置され、前記スタンドロッド３１の片側にはめねじプーリ２９が設置され、前記めねじプーリ２９には前記スタンドロッド３１とスライド可能に連結された第一環状溝３０が形成され、前記めねじプーリ２９と前記横移動親ねじ３２とがねじ山により連結され、前記横移動親ねじ３２の底壁にはそれぞれベルト空間３４が設置され、前記ベルト空間３４の底壁には駆動空間３８が設置され、前記駆動空間３８の上壁には連動棒５０が設置され、前記連動棒５０の左右壁には貫通空間４９が設置され、前記貫通空間４９の間には伝動空間６１が設置され、前記伝動空間６１と前記連動棒５０の間には動力装置１０２が設置され、前記駆動空間３８と前記ベルト空間３４との間には前記保護板２６を駆動して左右に移動させられる駆動装置１０３が設置され、前記動力装置１０２は前記駆動装置１０３の作動を制御でき、前記伝動空間６１の左右壁には横移動空間６４が対称になるように設置され、前記横移動空間６４の片壁にはオイルタンク６６が設置され、前記オイルタンク６６の片壁には油圧管４７が設置され、前記油圧管４７の頂壁には昇降スライド溝４６が形成され、前記昇降スライド溝４６、前記油圧管４７、前記オイルタンク６６、前記伝動空間６１及び前記作業空間２８の間には障害者の道を渡ることを補助できる補助装置１０４が設置されている。
【００１５】
前記動力装置１０２は前記連動棒５０の頂壁に固定的に装着された動力モータ５９を含み、前記動力モータ５９の中にはモータ軸５６が伝動可能に連結され、前記モータ軸５６には長スライドキー５５が上下対称になるように且つ固定的に設置され、前記長スライドキー５５と前記モータ軸５６には軸スリーブ５４が上下対称になるように且つスライド可能に設置され、前記軸スリーブ５４の片側面には第一傘歯車５３が対称になるように且つ固定的に設置され、前記貫通空間４９の頂壁には油圧プレス４５が固定的に設置され、前記軸スリーブ５４の中には第二環状溝７０が形成され、前記第二環状溝７０の中には移動スライドロッド５７がスライド可能に連結され、前記第二環状溝７０と前記油圧プレス４５とは推動ブロック４８によって連結され、
前記動力モータ５９を作動させることで、前記モータ軸５６を駆動し、前記軸スリーブ５４と前記第一傘歯車５３とが回転し、前記油圧プレス４５を作動させることで、前記推動ブロック４８と前記移動スライドロッド５７とが駆動されて上昇し、両側の前記第一傘歯車５３と前記軸スリーブ５４とを上昇させる。
【００１６】
前記駆動装置１０３は前記駆動空間３８の左右壁に回転可能に装着された横軸３７を含み、前記横軸３７の左右側には連結プーリ３６が対称になるように且つ固定的に設置され、前記連結プーリ３６と前記めねじプーリ２９とは連結ベルト３５により連結され、前記横軸３７には前記第一傘歯車５３と噛み合うことができる第二傘歯車５２が固定的に設置され、
前記第二傘歯車５２を回転させると、前記横軸３７と前記めねじプーリ２９とが駆動されて回転し、前記横移動親ねじ３２を両側へ移動させる。
【００１７】
前記補助装置１０４は前記作業空間２８の底壁にスライド可能に装着されたエレベータースタンド２５を含み、前記エレベータースタンド２５の上側には上方に開口する開口空間４３が設置され、前記開口空間４３の前後壁には八つの回転軸４１が回転可能に連結され、前記回転軸４１には固定輪４０が固定的に設置され、前記固定輪４０同士は搬送ベルト７１により連結され、左側にある前記回転軸４１の後側には前記開口空間４３の後壁と固定的に連結された固定モータ３９が伝動可能に連結され、前記エレベータースタンド２５の底面には前記昇降スライド溝４６とスライド可能に連結された油圧昇降棒４４が左右対称になるように且つ固定的に設置され、前記オイルタンク６６の中に作動油があり、前記オイルタンク６６の中には油圧板６５が左右対称になるように且つスライド可能に連結され、前記油圧板６５の片側面には前記横移動空間６４とスライド可能に連結されたねじ山スリーブ６０が固定的に設置され、前記ねじ山スリーブ６０の中には親ねじ６３がねじ山により連結され、前記親ねじ６３の片側には前記第一傘歯車５３と噛み合うことができる第三傘歯車６２が固定的に設置され、
前記第三傘歯車６２が回転すると、前記親ねじ６３を回転させ、そして前記横移動空間６４と前記油圧板６５とが連動して移動し、前記オイルタンク６６の中の作動油を前記油圧管４７により前記昇降スライド溝４６に送り、続いて前記油圧昇降棒４４と前記エレベータースタンド２５とが上昇し、前記エレベータースタンド２５を地面に平行させ、続いて前記固定モータ３９を作動させることで、前記回転軸４１と前記固定輪４０とを回転させ、この時に障害者が前記搬送ベルト７１に立つだけで道を渡れる。
【００１８】
前記ボタン２２の中にチップが配置されるため、前記動力モータ５９、前記油圧プレス４５、前記固定モータ３９の作動と復帰を順次に制御でき、また、前記ボタン２２が前記信号灯２１の赤信号と青信号の切り替えを制御できる。
【００１９】
初期状態において、前記保護板２６同士は互いに当接しており、前記第二傘歯車５２と前記第一傘歯車５３とが噛み合っている。
【００２０】
障害者が道を渡ろうとするとき、まず手で前記ボタン２２を押すことで、前記動力モータ５９を作動させ、前記モータ軸５６、前記軸スリーブ５４及び前記第一傘歯車５３が回転し、前記第二傘歯車５２を回転させることで、前記横軸３７及び前記めねじプーリ２９が回転し、前記横移動親ねじ３２を両側へ移動させることで、前記保護板２６が左右に移動して前記作業空間２８の上側を開け、次に前記油圧プレス４５を作動させ、前記推動ブロック４８及び前記移動スライドロッド５７が上昇し、両側の前記第一傘歯車５３と軸スリーブ５４を上昇させることで、前記第一傘歯車５３が前記第三傘歯車６２と噛み合い、続いて前記動力モータ５９を作動させ、前記第三傘歯車６２が回転し、前記親ねじ６３を回転させることで、前記横移動空間６４と前記油圧板６５とが移動し、前記オイルタンク６６の中の作動油を前記油圧管４７により前記昇降スライド溝４６に送り、続いて前記油圧昇降棒４４と前記エレベータースタンド２５とが上昇し、前記エレベータースタンド２５を地面に平行させ、そして前記固定モータ３９を作動させることで、前記回転軸４１と前記固定輪４０とを回転させ、この時に障害者が前記搬送ベルト７１に立つだけで道を渡ることができ、道を渡ったら、向こうの前記ボタン２２を押すことで、前記保護板２６と前記エレベータースタンド２５とを復帰させる。
【００２１】
以上の方式により、当該分野の従業員は本願発明の範囲内で作業状況に応じて様々な改変を加えることができる。
【要約】      （修正有）【課題】障害者向けの自動的に道を渡る設備を提供する。【解決手段】障害者向けの自動的に道を渡る設備は、地面に左右対称になるように設置された信号灯２１を含み、信号灯２１にはそれぞれボタン２２が設置され、信号灯２１の底側には作業空間２８が設置され、作業空間２８の頂壁には保護板溝２７が左右対称になるように形成され、固定輪４０により搬送ベルト７１を回転させることで、搬送ベルト７１に立っている障害者を道路の向こうに送り、障害者の道を渡る時間を短縮できるため、交通渋滞の発生を抑えられ、また、二つの左右移動可能な保護板２６により車両の正常通行を保証し、保護板２６の底面に設置された支持棒２４により、保護板２６が十分な強度で往来の車両をサポートできる。【選択図】図１【図１】
0006842000.tif 000002
【図２】
0006842000.tif 000003
【図３】
0006842000.tif 000004